(57)【要約】【課題】Ｗｅｂサイトに掲示される広告をＷｅｂユーザが作成するシステムを提供する。【解決手段】  中心業者のサーバ１は広告素材動画を作成する意思を有するＷｅｂユーザ（作り手ユーザ）２Ｍの端末２に広告素材動画を編集するアプリ８´を提供する。作り手ユーザ２Ｍは、自己の感性、嗜好などに基づいてアプリ８´を用いて広告素材動画を編集・作成し、サーバ１に対して投稿（アップロード）する。投稿された各作り手ユーザの動画素材はサーバ１のデータベース１Ａに蓄積される。データベース１Ａの動画データを用いてサーバ１は広告主４の依頼内容に適する一連の広告動画を作成し、この広告動画を所望するＷｅｂサイトに配信する。広告動画作成に採用された素材動画の提供者には報酬ｍ１が支払われ、広告を掲載したＷｅｂサイト３のオーナーには掲載料ｍ２が支払われる。動画広告の作成が完了したらサーバ１から手数料のデータが広告主４の端末に送信される。【選択図】  図２
2015090509.tif 000002
【特許請求の範囲】
【請求項１】
インターネット等の情報通信ネットワークシステムに掲載される広告を作成・配信するシステムにおいて、中心業者のサーバとＷｅｂサーバとＷｅｂユーザの端末との間に成立するシステムであって、中心業者のサーバは広告素材動画を提供するＷｅｂユーザの端末に対して広告素材動画作成用のアプリケーションソフトを提供し、当該アプリケ―ションソフトを受けたＷｅｂユーザは作り手ユーザとしてこのアプリケ―ションソフトを用いて作成した広告素材動画を中心業者のサーバにアップロードし、中心業者のサーバはアップロードされた広告素材動画をそのまま広告動画として、或いは複数の広告素材動画から一連の広告動画を作成し、広告の掲載を望むＷｅｂオーナーのＷｅｂサーバに対してＷｅｂオーナーの所望する広告動画を配信することを特徴とするユーザ参加型電子広告システム。
【請求項２】
中心業者のサーバは広告主が依頼した広告案件を蓄積したデータベースを有し、このデータベースは作り手ユーザの端末に解放されていることを特徴とする請求項１記載のユーザ参加型電子広告システム。
【請求項３】
中心業者のサーバは広告動画の表示スタイルを蓄積したデータベースを有し、このデータベースは作り手ユーザの端末に解放されていることを特徴とする請求項１又は２記載のユーザ参加型電子広告システム。
【請求項４】
中心業者のサーバは登録システムを有し、この登録システムは作り手ユーザのサーバからアップロードされた広告素材動画の画像分析を行い、登録が承認された広告素材動画を広告動画データベースに蓄積するように構成されたことを特徴とする請求項１乃至３の何れかに記載のユーザ参加型電子広告システム。
【請求項５】
中心業者のサーバには配信システムが設けられ、この配信システムはＷｅｂオーナがＷｅｂサーバを介して閲覧可能な広告動画サンプルが掲載されていることを特徴とする請求項１乃至４の何れかに記載のユーザ参加型電子広告システム。
【請求項６】
中心業者のサーバには代金決済用のシステムが設けられ、広告として採用された広告素材動画をアップロードした作り手ユーザの端末を介して決済金の支払いを連絡するように構成されたことを特徴とする請求項１乃至５の何れかに記載のユーザ参加型電子広告システム。
【請求項７】
中心業者のサーバには代金決済用のシステムが設けられ、広告動画の掲載を行うＷｅｂサイトのサーバを介して決済金の支払いを連絡するように構成されたことを特徴とする請求項６記載のユーザ参加型電子広告システム。
【発明の詳細な説明】
【技術分野】
【０００１】
本発明はインターネット等の情報通信ネットワークシステムにおける広告の作成過程においてこのネットワークシステムに参加しているネットワークユーザが広告作成に関わるよう構成されたシステムに関する。
【背景技術】
【０００２】
昨今、インターネット等の通信ネットワークの発達、普及により例えばバナー広告等のように本来の通信情報に加えて各種広告が提供されていることは我々のよく知るところである。このような広告提供のシステムはネットワークユーザ（以下本発明の内容も含めて単に「ユーザ」或いは「Ｗｅｂユーザ」とする）の増加、多様化により広告主としても非常に魅力のある広告、宣伝の分野として注目されている。
【０００３】
また、データ通信の容量や速度が大幅に向上した結果、広告の表示も静止画から動画に変化し、ユーザに対しても注意喚起力の高い広告が少なからず提供されている。このような環境において下記特許文献に示すように各種の発明が提案されている。
【先行技術文献】
【特許文献】
【０００４】
【特許文献１】特開２００８−２１０３０４
【特許文献２】特開２００７−２７９７９１
【特許文献３】特開２００９−２６８０２８
【特許文献４】特開２００８−２９９４７２
【発明の概要】
【発明が解決しようとする課題】
【０００５】
上記特許文献における各発明は以下に示すように、それぞれ特徴的な効果を有する。
しかし、結論的に言えば広告の受け手であるユーザの意向や感性が広告内容に直接配慮されているものは無い。
【０００６】
特許文献１記載の発明は、ＳＮＳ(Social Network Service)に参加しているユーザに対する効果的な広告を掲載するため、コミュニティーサービスを受けるユーザの情報をユーザ特有の情報として取得し、この情報に基づいて特定のユーザに対応する広告を提供するよう構成したものである。
この発明はユーザ特有の情報と提供すべき広告とを対応させることができるので、この発明の目的であるＳＮＳに参加しているユーザへの効果的な広告を掲載することが可能と
なる。しかし、予め作成されている、つまり広告主や広告作成者の意向で作成された広告の中からユーザに合った広告を選択するものであって、ユーザ側の嗜好や意向を直接反映した広告は選択肢の中には含まれない可能性が高い。
【０００７】
引用文献２記載の発明は、広告主が自己の作成した広告を事業者に投稿して自己ＰＲを行うもの、引用文献３の発明は広告動画を作成するものではないが、投稿動画の配信に当たり広告を付するものである。引用文献４の発明は画像投稿システムであるが、投稿画像を評価して画像投稿者の画像作成技術を高めるためのシステムである。また引用文献５は
画像投稿方法の簡易化を図った発明である。
【０００８】
結局、上記引用文献の各発明は例えばＷｅｂ広告の機能や効果をある程度高める機能効果は有するものの、各発明の共通する技術的目的は、広告の観点に立てば広告提供者側の視点に立ったものであり、実際に広告を見るＷｅｂユーザの視点そのものではない。本発明は後述するように、本来広告の受け手であるＷｅｂユーザの視点で広告を作成提供するものであって、Ｗｅｂユーザに対して格段に高い訴求力を有する広告を提供可能であることをその構成上有しているものといえる。
【課題を解決するための手段】
【０００９】
本発明は上記従来技術の問題点を解決したものである。即ち、インターネット等の情報通信ネットワークシステムにおける広告の作成過程においてこのネットワークシステムに参加しているネットワークユーザが広告作成に関わるよう構成されたシステムであって、広告主と、広告や広告素材を作成・提供するＷｅｂユーザ（以下簡略して「ユーザ」と称する）、この広告を掲載するＷｅｂサイトと、これら三者を関連させる中心事業者との間に成立するシステムであって、より具体的には、広告や広告素材を作成・提供するユーザのパソコンなどの端末と、Ｗｅｂサイトのサーバと中心事業者のサーバとの間に成立する画像・音声情報、決済情報の授受に関するシステムである。
【００１０】
より具体的には、本発明の第１の構成は中心事業者のサーバは広告や広告素材（以下実施例も含めて広告素材を例に説明する）を作成・提供するユーザ（以下「作り手ユーザ」と称する）の端末に広告を作成するアプリケーションソフト（以下「アプリ」と称する）を提供する機能と、作り手ユーザから送信された広告素材データからＷｅｂ広告を作成する手段とから成るシステムである。
【００１１】
本発明の第２の構成は、中心事業者のサーバが、作り手ユーザがアップロードした広告素材を蓄積し、この広告素材から所定の広告主に対応する一連のＷｅｂ広告を作成する機能を有しているシステムである。
【００１２】
本発明の第３の構成は、中心事業者のサーバの課金、支払い機能であって、広告素材がＷｅｂ広告作成に採用された作り手ユーザに対して成功報酬を支払う機能と、Ｗｅｂ広告を採用したＷｅｂの管理者（オーナー）に採用報酬を支払う機能と、広告主にＷｅｂ広告作成料を課金するシステムである。
【発明の効果】
【００１３】
本発明によれば、Ｗｅｂユーザの感性や嗜好に合致した広告、即ちＷｅｂユーザに対して高い訴求力を有する広告を提供することが可能になる。
つまり、従来の広告はこのＷｅｂ広告も含めて、広告の作り手である広告主及びこの広告主の意向に基づいて作成された内容をＷｅｂユーザ、視聴者、読者に対して一方的に提供するものであって、広告の受け手であるこれらの者の感性や嗜好と必ずしも合致せず、Ｗｅｂであれば往々にして広告の無視、削除が行われ、広告としての本来の機能が果たせていなかった。
これに対して、本願発明は広告の作成段階においてＷｅｂユーザが広告作成者として直接関与すること、つまりＷｅｂユーザが自分の目線及び感性で作成した素材が広告の最重要な素材として構成されるので、出来上がった広告はＷｅｂユーザの感性及び嗜好に叶うものとなり、従来の広告に比較して広告の注目度や訴求性を大幅に高めることができる。
【００１４】
特に、本発明の直接の対象であるＷｅｂでは、新聞やテレビ等よりも広告の作り手及び提供者と受け手との間のジェネレーションギャップ、生活環境のギャップが他の分野よりも大きいと言われており、本発明はこのギャップを埋めて広告の効果を最大限発揮することが可能となる。
【００１５】
本発明の他の効果は、訴求力の高い広告を持続的に提供することが可能となり、しかも時系列的に広告の内容もより一層充実し訴求力の高い広告を順次生み出す可能性が非常に高いことである。
その理由は、Ｗｅｂユーザのモチベーション及び作り手ユーザの増加に起因する。
つまり、広告に採用された作り手ユーザは自分の作成した素材による広告が広く流布されることによって、高い満足を覚え、次回の素材作成に意欲を燃やすであろう。また当然のことながら素材の採用に対応して報酬を受けられることもこの意欲を後押しすることになる。
また、このことを知った他のＷｅｂユーザも作り手ユーザになろうとし、作り手ユーザのすそ野が継時的に増加して提供される広告素材も増加し、この結果作成されるＷｅｂ広告の質、量共に増加するという好循環を生むことが期待される。
【００１６】
広告作成のアプリ（中心事業者から例えば無償で提供）によりＷｅｂユーザは、特殊な技術を必要とせずかつ費用をかけずに作り手ユーザに成ることができ、この点からも作り手ユーザのすそ野を広げることができる。
【００１７】
本発明の更に他の効果は、Ｗｅｂ広告作成に当たり中心業者のサーバに搭載された画像生成用エンジン（ソフトウエア）が所定のコンセプトに基づいてＷｅｂ広告を自動生成できるのでＷｅｂ広告の作成時間を従来の広告作成工程に比較して大幅に短縮できる。また広告作成の費用や労力も低減することができる。
【図面の簡単な説明】
【００１８】
【図１】本発明の第１の実施例を示す電子広告システムの系統図である。
【図２】本発明の第２の実施例を示す電子広告システムの系統図である。
【図３】本発明の第３の実施例を示す電子広告システムの系統図である。
【発明を実施するための形態】
【実施例１】
【００１９】
先ず、本発明に係るシステムの概略を主に図１を用いて説明する。なおＷｅｂ広告は静止画でも当然可能であるが、以下各実施例においては動画を例に説明する。
図中符号１は中心業者のコンピュータシステムであって、その構成は複数台或いは容量・処理能力の高い１台のコンピュータで構成されるが、説明の都合上このコンピュータシステム全体を「サーバ」の用語で代表させることとする。
【００２０】
符号２はＷｅｂユーザのうち広告素材を提供する作り手ユーザ２Ｍに配置されたパーソナルコンピュータ或いはモバイル端末等の端末である。また符号３はインターネットのＷｅｂサイト、３ＭはこのＷｅｂサイトの管理者（オーナー）、４はインターネットの各Ｗｅｂサイトに対して広告の掲示を希望する広告主、５は各Ｗｅｂサイトを閲覧する一般ユーザである。
本発明はこのうち、主として中心業者のサーバ１と作り手ユーザの端末２と、所定のＷｅｂサイト３と、広告主（直接的には広告主の端末）４との間に成立するシステムである。
【００２１】
次にシステムの流れの概略を説明する。まず中心業者はサーバ１により作り手ユーザを希望するＷｅｂユーザの端末２に対して広告素材作成用のアプリケーションソフト（アプリ）をダウンロードする。このダウンロードの前提として、中心業者とこのＷｅｂユーザとの間には広告採用時の報酬額や支払方法、Ｗｅｂユーザが作成した広告素材たる動画の著作権の所在等必要事項を取り決めた契約を交わしておく。なお、アプリの提供経路はサーバ１から直接ダウンロードするほかＡｐｐｌｅ（登録商標）やＧｏｏｇｌｅ（登録商標）等のアプリ提供システムを有する第三者に委託することももとより可能である。
【００２２】
一方広告主４は宣伝広告したい自己の商品やサービス、つまり広告対象に関する広告の作成を中心業者に依頼する。中心業者は作り手ユーザの端末２から投稿（アップロード）されかつ蓄積された各作り手ユーザの広告素材を抽出し、広告対象に適する広告を作成する。広告の表示を望むＷｅｂサイトオーナー３Ｍは中心業者のサーバ１にアクセスして自己のＷｅｂサイト３に掲載を望む広告を選択する。この場合、前記作り手ユーザとしてのＷｅｂユーザの場合と同様に広告の掲載料、支払い方法等所定事項についてＷｅｂサイトオーナー３Ｍと中心業者との間に合意が成立していることが前提となる。
【００２３】
以上のシステムにおいて、中心業者が広告素材を採用した広告素材を投稿した作り手ユーザに対しては中心業者が報酬ｍ１を支払う。支払額は定額或いは一般ユーザ５の広告クリック数や商品の購入数等に対応する変動制等種々の方法が考えられる。また、広告を掲載したＷｅｂサイト３のオーナー３Ｍに対しては掲載料ｍ２を支払う。この掲載料ｍ２も作り手ユーザに支払う場合のように定額制または変動制等の支払い方法が考えられる。
一方広告主４からは中心業者に対して所定の費用ｍ３が支払われる。この費用ｍ３も前記各費用ｍ１、ｍ２と同様定額制または変動制等の支払い方法が考えられる。
【実施例２】
【００２４】
図２は本発明の第２の実施例を示す。
この実施例は前記実施例１におけるシステムをより具体的に実行するための手段が示されている。
中心業者のサーバ１には作り手ユーザに提供する広告素材作成用のアプリ８が格納されており、作り手ユーザと成ることをＷｅｂユーザ及び中心業者との間で合意された場合にこのアプリが当該Ｗｅｂユーザの端末２に対して広告素材作成用アプリ８´としてダウンロードされる。なお端末２は所謂スマートフォン等の携帯端末やノートパソコン、デスクトップ型のパソコン等その機種を問わないが、以下スマートフォン等の携帯端末を例に説明する。
【００２５】
前記アプリ８´は各種の機能の付加が考えられるが、中心的な機能としては動画生成エンジン（動画生成用ソフトウエア）と広告素材としての動画の投稿機能を有しており、さらに必要であればスタイル決定機能も有している。このうちスタイル決定機能とは作成した動画がどのような風合いをもつものであるかを決める機能である。例えば撮影した画像をソフトフォーカスとして画像全体をロマンチックな雰囲気としたり、画像を粗く処理（ソラリゼーション）して画像に緊迫感を与えたりする機能等を言う。ただし、このスタイル決定機能は作り手ユーザに対するアプリの中に含ませず、サーバ１の専用の機能としてもよい。この場合は、作り手ユーザの端末２からは生の広告素材動画が投稿される。因みに投稿された生の素材を特定のスタイルに変更するのは著作物の改変に当たる可能性があるので、この点も中心業者と作り手ユーザとの間で合意しておくことが望ましい。
【００２６】
以上によって、各作り手ユーザから投稿された広告素材動画はサーバ１のデータベース１Ａに格納される。格納方法としては、例えば投稿された各素材画像にタグ付けし、関連した映像同士を紐つけしておく方法等が考えられる。また広告動画を自動作成するためのキーワード等その他のタグ（メタタグ／メタ情報）も格納しておく。
【００２７】
符号１Ｂはサーバ１に搭載された広告動画作成ソフトである。
広告動画の作成は後述の実施例３においてより詳細に説明するが、概略は以下のとおりである。
サーバ１は広告主４の依頼内容に対応して、データベース1Ａから所定の投稿動画を選択し、各動画を繋いで１本の動画を自動生成する。この際エフェクトやトランジション等
を付加して１本の動画の連続性と視覚効果や訴求効果を高めるようにする。ここでエフェクトとは色調やフォーカス等の画像演出効果を意味し、トランジションとは、前の画像がフェードアウトして次の画像に移る、前の画像のページめくるようにして次の画像に移る等の画像遷移効果を意味する。
【実施例３】
【００２８】
図３は本発明の第３の実施例を示す。
先ず広告主４は宣伝・広告を行いたい内容、つまり広告案件を中心業者に依頼する。依頼内容はサーバ１の広告案件データベース６に格納される。格納された広告案件の内容としては、例えば広告主４がビール会社であって、「ライトビールの新製品を若者の男女に向けてフレッシュな感覚で、特にレジャーの供に買ってもらいたい」等、広告のコンセプトを第三者、とりわけ作り手ユーザ２Ｍにも分かる程度の内容で格納されていることが望ましい。この広告案件データベース６は各作り手ユーザ２Ｍに対しては解放されている。
【００２９】
広告主４は必要によっては広告動画がどのような風合いで表現されるか（スタイル）を指定しても良い。またこのスタイルは広告案件を閲覧した作り手ユーザ２Ｍが自分のイマジネーションにより決めてもよい。このスタイルもスタイルデータベース７として蓄積されている。またこのスタイルデータベース７も作り手ユーザ２Ｍに解放されている。
【００３０】
一方作り手ユーザ２Ｍは自己の端末２に搭載されたアプリ８´により広告案件データベース６にアクセスし、自己の趣味、嗜好、得意分野等自分の個性・能力に合った広告案件があれば、この案件に対応する画像で広告素材動画を作成する。動画素材の取得方法としては自分の端末２にストックされている動画１０から選択する方法、或いは自分の創作イメージに合った動画を新たに撮像する方法等いろいろな方法が考えられる。なお、広告動画作成の前にサーバ１のスタイルデータベース７にアクセスし、最新のスタイルデータを端末２に対してアプリ内スタイル７´としてダウンロードしておくことが望ましい。
【００３１】
このようにして、作り手ユーザ２Ｍは自己の端末２を用いて、自分の感性に合い、かつ第三者にも訴求できると思う広告素材動画を作成する。作り手ユーザ２Ｍは投稿の気持ちが定まったならば作成された編集済動画１１をサーバ１に投稿（アップロード）する。
【００３２】
投稿された広告素材動画はサーバ１の登録システム９において画像分析されその適正がチェックされる。つまり広告として広く公開される画像であることを前提としてその適格性がチェックされることになる。
具体的には、画像分析の結果暴力性の高いもの、猥褻なものなど公序良俗に反するものなどの反社会性があるもの、画像として意味が不明のものなどが不適格な画像として判断されると考えられる。
この様な過程を経て適格性が承認された投稿動画はメタ映像データベース１Ａに広告動画として格納される。この際、登録システム９からは登録された広告動画本体の外、画像の分野、スタイル、端末２のアドレス等メタ情報、承認情報も出力され格納される。
【００３３】
なお図３では図示されていないが、図２に示すようにサーバ１において登録された複数の投稿動画を関連づけて一連の広告動画を作成してデータベース１Ａに蓄積しておくことも当然可能である。
【００３４】
Ｗｅｂサイトに載せる広告動画の選択には幾つかの手順や方法が考えられる。
先ず、最初の方法は次の手順である。
Ｗｅｂサイト３のオーナー３ＭがＷｅｂサーバ１２を介して広告表示要求をサーバ１に送出すると、サーバ１の配信システム１３はデータベース１Ａに掲載されている動画の中から一つを選択してＷｅｂサイト３に配信する。より具体的には、配信する広告動画が決まったならば、前述のとおり、決済方法等所定の事項での合意を前提として、当該広告動画をＷｅｂサイト３に送出する。なお、広告動画の課金（掲載料）は前述のように幾つか考えられるが、図示の構成ではＷｅｂユーザ５がこのＷｅｂサイトに掲載された広告動画のクリックした数に対応して掲載料が支払われる方式を示している。
【００３５】
またサーバ１は次のようなサービスの提供を行うことも可能である。即ち、Ｗｅｂサイト３が広告表示要求を行う前提としてこのＷｅｂサイト３の利用状態を要求した場合、サーバ１はこのＷｅｂサイト３の利用状態のデータ（Ｗｅｂユーザ５の年齢、性別、職業、Ｗｅｂの閲覧時刻、閲覧時間等）をＷｅｂサイト３を介してＷｅｂ３の管理者（オーナー）３Ｍに送信するようなサービスを提供することも可能である。
【００３６】
別の広告動画の選択方法は以下のとおりである。
Ｗｅｂサイト３の管理者３Ｍは上記サーバ１のサービス或いは自己独自で調べたＷｅｂサイトの利用状態のデータに基づき広告動画を積極的に選択する。
即ち、配信システム１３には広告動画のサンプルが掲示されており、管理者３Ｍは自己のＷｅｂサイト３に合った広告動画を前記利用状態のデータ等を参考にして探す。
【００３７】
掲載したい広告動画が決まったならば、前述のとおり、決済方法等所定の事項での合意
を前提として、サーバ１はＷｅｂサイトオーナー３Ｍが所望する広告動画をＷｅｂサイト３に送出する。なお、広告動画の課金（掲載料）は前述のように幾つか考えられるが、図示の構成ではＷｅｂユーザ５がこのＷｅｂサイトに掲載された広告動画のクリックした数に対応して掲載料が支払われる方式を示している。
【００３８】
以上本発明に係るシステムを動画を例に説明したが、静止画が対象であっても本発明の実施は当然可能である。
【産業上の利用可能性】
【００３９】
上記した以外の他の分野では本システムは、例えばＷｅｂユーザが建築の設計士である場合において特定のコンセプトに対応する設計コンペティション等に応用することも可能である。
【符号の説明】
【００４０】
１    （中心業者の）サーバ
１Ａ  （中心業者のサーバの）映像データベース
１Ｂ  （中心業者のサーバの）広告動画作成用ソフト
２    （作り手ユーザの）端末
２Ｍ  作り手ユーザ
３    Ｗｅｂサイト
３Ｍ  Ｗｅｂサイトオーナー（管理者）
４    広告主
５    Ｗｅｂユーザ（一般ユーザ）
６    広告案件データベース
７    スタイルデータベース
７´  （端末２側の）スタイルデータ
８    広告動画作成用アプリ
８´  （端末２側の）広告動画作成用アプリ
９    登録システム
１０  （端末２の）動画データ
１１  編集済動画
１２  Ｗｅｂサーバ
１３  配信システム
【図１】
2015090509.tif 000003
【図２】
2015090509.tif 000004
【図３】
2015090509.tif 000005